(57)【要約】      （修正有）【課題】昇降カム機構の高さ寸法の影響を受けず、薄型化や小型化可能なディスク装置を提供する。【解決手段】ベース本体と蓋体とからシャーシ外装を構成し、前記ベース本体に設けたトラバース３０によってスピンドルモータ３１Ａとピックアップ３２とを保持し、前記トラバース３０の一端側にスライダー機構を配置し、前記スライダー機構には、前記トラバース３０を前記ベース本体に対して近接離間させる昇降カム機構を有するディスク装置であって、前記昇降カム機構のカム溝を、前記スライダー機構とともに移動する第１のカム部と、前記第１のカム部に対して変位する第２のカム部５２Ｂとにより構成する。前記昇降カム機構の昇降ピンが前記カム溝内にて所定高さを越える場合に、前記第２のカム部５２Ｂが上昇して前記昇降ピンの移動を規制し、前記昇降ピンが所定高さ以下の場合には、前記第２のカム部５２Ｂを下降した位置に保持する。【選択図】        図１
2005276320.tif 000002
【特許請求の範囲】
【請求項１】
ベース本体と蓋体とからシャーシ外装を構成し、
前記シャーシ外装のフロント面には、ディスクを直接挿入するディスク挿入口を形成し、
前記ベース本体に設けたトラバースによってスピンドルモータとピックアップとを保持し
、
前記トラバースの一端側にスライダー機構を配置し、
前記スライダー機構には、前記トラバースを前記ベース本体に対して近接離間させる昇降
カム機構を有するディスク装置であって、
前記昇降カム機構のカム溝を、前記スライダー機構とともに移動する第１のカム部と、前
記第１のカム部に対して変位する第２のカム部とにより構成し、
前記昇降カム機構の昇降ピンが前記カム溝内にて所定高さを越える場合に、前記第２のカ
ム部が上昇し、前記第２のカム部によって前記昇降ピンの移動を規制し、前記昇降ピンが
前記カム溝内にて所定高さ以下の場合には、前記第２のカム部を下降した位置に保持する
ことを特徴とするディスク装置。
【請求項２】
前記昇降ピンが前記カム溝内にて所定高さより高い位置となる場合に、前記第２のカム
部を、前記カム溝を形成する高さまで上昇するとともに、前記カム溝を形成する高さ以上
には上昇しないようにバネ又はストッパーにて規制することを特徴とする請求項１に記載
のディスク装置。
【請求項３】
前記第２のカム部は、前記昇降ピンの上面を規制することを特徴とする請求項１に記載
のディスク装置。
【請求項４】
前記第２のカム部の一端側を前記第１のカム部に回動自在に保持することで、前記第２
のカム部の他端側を昇降自在な構成とし、弾性部材によって前記第２のカム部の他端側を
下降方向に付勢することを特徴とする請求項１に記載のディスク装置。
【請求項５】
前記弾性部材を用いて前記第２のカム部を下降方向に付勢することを特徴とする請求項
１に記載のディスク装置。
【請求項６】
前記第２のカム部の一部には、昇降ピンの下側を規制する下側規制カム壁が設けられ、
前記昇降ピンが前記カム溝内にて所定高さ以下の場合には、前記昇降ピンが、前記第２の
カム部の前記下側規制カム壁を押さえ、前記第２のカム部を下降した位置に保持すること
を特徴とする請求項１に記載のディスク装置。
【請求項７】
前記ベース本体に、前記第２のカム部の上下方向を規制する規制部材を設け、前記第２
のカム部に前記規制部材を受ける受け部を設け、前記第２のカム部の前後動により、所定
位置では、前記規制部材が前記第２のカム部の前記受け部を押さえることで前記第２のカ
ム部を下降した位置に保持することを特徴とする請求項１に記載のディスク装置。
【請求項８】
前記第２のカム部をベース本体に設けることで前記第２のカム部が前記スライダー機構
とともに移動しないことを特徴とする請求項１に記載のディスク装置。
【請求項９】
トラバースの一端側にスライダー機構を配置し、
前記スライダー機構には、前記トラバースの一端側をベース本体に対して近接離間させる
昇降カム機構を有するディスク装置であって、
前記昇降カム機構のカム溝を、前記スライダー機構とともに移動する第１のカム部と、前
記第１のカム部に対して変位して昇降ピンの上面を規制する第２のカム部とにより構成し
、
前記昇降カム機構の昇降ピンが前記カム溝内にて所定高さを越える場合に、前記第２のカ
ム部が上昇し、前記第２のカム部によって前記昇降ピンの移動を規制し、前記昇降ピンが
前記カム溝内にて所定高さ以下の場合には、前記第２のカム部を下降した位置に保持する
ことを特徴とするディスク装置。
【発明の詳細な説明】
【技術分野】
【０００１】
本発明は、ＣＤやＤＶＤなどのディスク状の記録媒体への記録、または再生を行うディ
スク装置に関し、特に外部からディスクを直接挿入し、または直接排出できる、いわゆる
スロットイン方式のディスク装置に関する。
【背景技術】
【０００２】
従来のディスク装置は、トレイまたはターンテーブル上にディスクを載置し、このトレ
イやターンテーブルを装置本体内に装着するローディング方式が多く採用されている。
しかし、このようなローディング方式では、トレイやターンテーブルが必要な分、ディ
スク装置本体を薄型化するには限度がある。
一方、スロットイン方式のディスク装置としては、ディスク面に搬送ローラを当接させ
てディスクを引き込む方式が提案されている（例えば特許文献１）。
しかし、例えば特許文献１で提案されているようなスロットイン方式では、ディスク直
径より長い搬送ローラを用いるために、装置幅を広くしなければならず、さらにこの搬送
ローラによって厚みも増してしまう。
このようなことから、レバーによってディスクの搬送を行うスロットイン方式のディス
ク装置が、ディスク装置本体の薄型化や小型化に適している（例えば特許文献２）。
そして、特許文献２の発明における装置では、トラバースの一端側にスライダー機構を
配置し、このスライダー機構に、トラバースをベース本体に対して近接離間させる昇降カ
ム機構を備えている。
【特許文献１】特開平７−２２０３５３号公報
【特許文献２】特開２００２−３５２４９８号公報
【発明の開示】
【発明が解決しようとする課題】
【０００３】
しかし、特許文献２の発明における装置では、トラバースをベース本体から離間させる
距離に対応した昇降カム機構をスライダー機構に設けなければならない。
従って、ディスク装置本体の薄型化や小型化を図る上で、昇降カム機構の高さ寸法の影
響を受けてしまう。
【０００４】
そこで本発明は、昇降カム機構の高さ寸法の影響を受けず、薄型化や小型化を図ること
ができるディスク装置を提供することを目的とする。
【課題を解決するための手段】
【０００５】
請求項１記載の本発明のディスク装置は、ベース本体と蓋体とからシャーシ外装を構成
し、前記シャーシ外装のフロント面には、ディスクを直接挿入するディスク挿入口を形成
し、前記ベース本体に設けたトラバースによってスピンドルモータとピックアップとを保
持し、前記トラバースの一端側にスライダー機構を配置し、前記スライダー機構には、前
記トラバースを前記ベース本体に対して近接離間させる昇降カム機構を有するディスク装
置であって、前記昇降カム機構のカム溝を、前記スライダー機構とともに移動する第１の
カム部と、前記第１のカム部に対して変位する第２のカム部とにより構成し、前記昇降カ
ム機構の昇降ピンが前記カム溝内にて所定高さを越える場合に、前記第２のカム部が上昇
し、前記第２のカム部によって前記昇降ピンの移動を規制し、前記昇降ピンが前記カム溝
内にて所定高さ以下の場合には、前記第２のカム部を下降した位置に保持することを特徴
とする。
請求項２記載の本発明は、請求項１に記載のディスク装置において、前記昇降ピンが前
記カム溝内にて所定高さより高い位置となる場合に、前記第２のカム部を、前記カム溝を
形成する高さまで上昇するとともに、前記カム溝を形成する高さ以上には上昇しないよう
にバネ又はストッパーにて規制することを特徴とする。
請求項３記載の本発明は、請求項１に記載のディスク装置において、前記第２のカム部
は、前記昇降ピンの上面を規制することを特徴とする。
請求項４記載の本発明は、請求項１に記載のディスク装置において、前記第２のカム部
の一端側を前記第１のカム部に回動自在に保持することで、前記第２のカム部の他端側を
昇降自在な構成とし、弾性部材によって前記第２のカム部の他端側を下降方向に付勢する
ことを特徴とする。
請求項５記載の本発明は、請求項１に記載のディスク装置において、前記弾性部材を用
いて前記第２のカム部を下降方向に付勢することを特徴とする。
請求項６記載の本発明は、請求項１に記載のディスク装置において、前記第２のカム部
の一部には、昇降ピンの下側を規制する下側規制カム壁が設けられ、前記昇降ピンが前記
カム溝内にて所定高さ以下の場合には、前記昇降ピンが、前記第２のカム部の前記下側規
制カム壁を押さえ、前記第２のカム部を下降した位置に保持することを特徴とする。
請求項７記載の本発明は、請求項１に記載のディスク装置において、前記ベース本体に
、前記第２のカム部の上下方向を規制する規制部材を設け、前記第２のカム部に前記規制
部材を受ける受け部を設け、前記第２のカム部の前後動により、所定位置では、前記規制
部材が前記第２のカム部の前記受け部を押さえることで前記第２のカム部を下降した位置
に保持することを特徴とする。
請求項８記載の本発明は、請求項１に記載のディスク装置において、前記第２のカム部
をベース本体に設けることで前記第２のカム部が前記スライダー機構とともに移動しない
ことを特徴とする。
請求項９記載の本発明のディスク装置は、トラバースの一端側にスライダー機構を配置
し、前記スライダー機構には、前記トラバースの一端側をベース本体に対して近接離間さ
せる昇降カム機構を有するディスク装置であって、前記昇降カム機構のカム溝を、前記ス
ライダー機構とともに移動する第１のカム部と、前記第１のカム部に対して変位して昇降
ピンの上面を規制する第２のカム部とにより構成し、前記昇降カム機構の昇降ピンが前記
カム溝内にて所定高さを越える場合に、前記第２のカム部が上昇し、前記第２のカム部に
よって前記昇降ピンの移動を規制し、前記昇降ピンが前記カム溝内にて所定高さ以下の場
合には、前記第２のカム部を下降した位置に保持することを特徴とする。
【発明の効果】
【０００６】
本発明によれば、昇降カム機構の高さ寸法の影響を受けずにディスク装置の薄型化と小
型化を図ることができる。
【発明を実施するための最良の形態】
【０００７】
本発明の第１の実施の形態によるディスク装置は、昇降カム機構のカム溝を、スライダ
ー機構とともに移動する第１のカム部と、第１のカム部に対して変位する第２のカム部と
により構成し、昇降カム機構の昇降ピンがカム溝内にて所定高さを越える場合に、第２の
カム部が上昇し、第２のカム部によって昇降ピンの移動を規制し、昇降ピンがカム溝内に
て所定高さ以下の場合には、第２のカム部を下降した位置に保持するものである。本実施
の形態によれば、昇降ピンがカム溝内にて所定高さを越える場合に、第２のカム部が上昇
し、昇降ピンがカム溝内にて所定高さ以下の場合には、第２のカム部を下降した位置に保
持することで、昇降カム機構の高さ寸法を小さくすることができる。
本発明の第２の実施の形態は、第１の実施の形態によるディスク装置において、昇降ピ
ンがカム溝内にて所定高さより高い位置となる場合に、第２のカム部を、カム溝を形成す
る高さまで上昇するとともに、カム溝を形成する高さ以上には上昇しないようにバネ又は
ストッパーにて規制するものである。本実施の形態によれば、第２のカム部は、昇降ピン
がカム溝内にて所定高さより高い位置となる場合だけ上昇するため、昇降カム機構の高さ
寸法を小さくすることができる。
本発明の第３の実施の形態は、第１の実施の形態によるディスク装置において、第２の
カム部は、昇降ピンの上面を規制するものである。本実施の形態によれば、第２のカム部
を第１のカム部の上部に、蓋のように設けることで構成できるため、昇降カム機構を簡単
な構成で実現することができる。
本発明の第４の実施の形態は、第１の実施の形態によるディスク装置において、第２の
カム部の一端側を第１のカム部に回動自在に保持することで、第２のカム部の他端側を昇
降自在な構成とし、弾性部材によって第２のカム部の他端側を下降方向に付勢するもので
ある。本実施の形態によれば、第１のカム部と第２のカム部とをスライダー機構に設ける
ために部材の組み立てを容易に行うことができる。
本発明の第５の実施の形態は、第１の実施の形態によるディスク装置において、弾性部
材を用いて第２のカム部を下降方向に付勢するものである。本実施の形態によれば、昇降
ピンがカム溝内にて所定高さ以下の場合、弾性部材によって第２のカム部を下降した位置
に安定して保持することができる。
本発明の第６の実施の形態は、第１の実施の形態によるディスク装置において、第２の
カム部の一部には、昇降ピンの下側を規制する下側規制カム壁が設けられ、昇降ピンがカ
ム溝内にて所定高さ以下の場合には、昇降ピンが、第２のカム部の下側規制カム壁を押さ
え、第２のカム部を下降した位置に保持するものである。本実施の形態によれば、昇降ピ
ンによって第２のカム部を動作させることができる。
本発明の第７の実施の形態は、第１の実施の形態によるディスク装置において、ベース
本体に、第２のカム部の上下方向を規制する規制部材を設け、第２のカム部に規制部材を
受ける受け部を設け、第２のカム部の前後動により、所定位置では、規制部材が第２のカ
ム部の受け部を押さえることで第２のカム部を下降した位置に保持するものである。本実
施の形態によれば、昇降ピンがカム溝内にて所定高さ以下の場合、規制部材によって第２
のカム部を下降した位置に安定して保持することができる。
本発明の第８の実施の形態は、第１の実施の形態によるディスク装置において、第２の
カム部をベース本体に設けることで第２のカム部がスライダー機構とともに移動しないも
のである。本実施の形態のように、第２のカム部をスライダー機構とは別に設けることも
できる。
本発明の第９の実施の形態によるディスク装置は、昇降カム機構のカム溝を、スライダ
ー機構とともに移動する第１のカム部と、第１のカム部に対して変位して昇降ピンの上面
を規制する第２のカム部とにより構成し、昇降カム機構の昇降ピンがカム溝内にて所定高
さを越える場合に、第２のカム部が上昇し、第２のカム部によって昇降ピンの移動を規制
し、昇降ピンがカム溝内にて所定高さ以下の場合には、第２のカム部を下降した位置に保
持するものである。本実施の形態によれば、昇降ピンがカム溝内にて所定高さを越える場
合に、第２のカム部が上昇し、昇降ピンがカム溝内にて所定高さ以下の場合には、第２の
カム部を下降した位置に保持することで、昇降カム機構の高さ寸法を小さくすることがで
きる。
【実施例】
【０００８】
以下本発明の一実施例によるディスク装置について説明する。
図１は本実施例によるディスク装置のベース本体の要部平面図、図２は同ディスク装置
の要部側断面図、図３は同ディスク装置のサブスライダーの平面図、図４は同ディスク装
置のサブスライダーの側面図である。
本実施例によるディスク装置は、ベース本体と蓋体とからシャーシ外装が構成され、こ
のシャーシ外装のフロント面にベゼルが装着される。また本実施例によるディスク装置は
、ベゼルに設けたディスク挿入口からディスクを直接挿入するスロットイン方式のディス
ク装置である。
【０００９】
ベース本体１０のフロント側には、ディスクを直接挿入するディスク挿入口１１を形成
している。ベース本体１０にはトラバース３０が配置されている。
トラバース３０は、スピンドルモータ３１Ａと、ピックアップ３２と、ピックアップ３
２を移動させる駆動手段３３とを保持している。スピンドルモータ３１Ａの回転軸には、
ディスクを保持するハブ３１Ｂを備えている。スピンドルモータ３１Ａはトラバース３０
の一端側に設けられ、またピックアップ３２は、スタンバイ状態やチャッキング状態では
トラバース３０の他端側に配置される。ピックアップ３２はトラバース３０の一端側から
他端側までを移動可能に設けられている。駆動手段３３は、駆動モータと、ピックアップ
３２を摺動させる一対のレールと、駆動モータの駆動をピックアップ３２に伝達する歯車
機構とを有し、一対のレールはトラバース３０の一端側と他端側とを連接するように、ピ
ックアップ３２の両側部に配置されている。
【００１０】
トラバース３０には、スピンドルモータ３１Ａがベース本体１０の中央部に位置し、ま
たピックアップ３２の往復移動範囲がスピンドルモータ３１Ａよりもディスク挿入口１１
側に位置し、またピックアップ３２の往復移動方向がディスクの挿入方向と異なるように
配設されている。ここで、ピックアップ３２の往復移動方向とディスクの挿入方向とは、
４０〜４５度の角度としている。
トラバース３０は、一対の固定カム３４Ａ、３４Ｂによってベース本体１０に支持され
ている。一対の固定カム３４Ａ、３４Ｂは、スピンドルモータ３１Ａよりもピックアップ
３２側に配設し、ピックアップ３２のスタンバイ位置よりもディスク挿入口１１側の位置
に配設することが好ましい。本実施例では、固定カム３４Ａはディスク挿入口１１の内側
近傍の中央部に、固定カム３４Ｂはディスク挿入口１１の内側近傍の一端側に設けている
。固定カム３４Ａ、３４Ｂは、ディスクの挿入方向に延びる所定長さの溝からなり、この
溝のディスク挿入口１１側の一端側端部は、他端側端部よりもベース本体１０から第１の
Ｚ軸距離だけ離間させている。トラバース３０に設けたカムピン３５Ａ、３５Ｂは、この
固定カム３４Ａ、３４Ｂの溝内を摺動することで、トラバース３０をディスクの挿入排出
方向（Ｘ軸方向）に変位させるとともに、ベース本体１０に対して近接離間する方向（Ｚ
軸方向）に変位させることができる。
【００１１】
以下に、このトラバース３０を動作させるメインスライダー４０とサブスライダー５０
について説明する。
メインスライダー４０とサブスライダー５０とは、スピンドルモータ３１Ａの側方に位
置するように配設され、スライダー機構を構成している。メインスライダー４０は、その
一端がシャーシ本体１０のフロント面側、その他端がシャーシ本体１０のリア面側となる
方向に配設されている。また、サブスライダー５０は、メインスライダー４０と直交する
方向に配設されている。
トラバース３０を変位させるカム機構は、スライダーカム機構５１と昇降カム機構５２
によって構成され、サブスライダー５０に設けられている。スライダーカム機構５１は、
サブスライダー５０の移動方向に延びる所定長さの溝からなり、この溝はその一端側（メ
インスライダー４０側）端部から他端側端部にかけて、ディスク挿入口１１の方向（Ｘ軸
方向）に段階的に近接させている。トラバース３０に設けたスライドピン５３は、このス
ライダーカム機構５１の溝内を摺動することで、トラバース３０をディスクの挿入排出方
向（Ｘ軸方向）に変位させることができる。また、昇降カム機構５２は、サブスライダー
５０の移動方向に延びる所定長さの溝からなり、この溝はその一端側（メインスライダー
４０側）端部から他端側端部にかけて、ベース本体１０との距離（Ｚ軸距離）を段階的に
変化させている。トラバース３０に設けた昇降ピン５４は、この昇降カム機構５２の溝内
を摺動することで、トラバース３０をベース本体１０に対して近接離間する方向（Ｚ軸方
向）に変位することができる。
【００１２】
ここで、昇降カム機構５２は、第１のカム部５２Ａと、第１のカム部５２Ａに対して変
位する第２のカム部５２Ｂとにより構成する。第２のカム部５２Ｂの一端側は、第１のカ
ム部５２Ａに回動支点５５によって回動自在に保持され、第２のカム部５２Ｂの他端側は
昇降自在な構成としている。そして、弾性部材５６は第２のカム部５２Ｂの他端側を下降
方向に付勢している。昇降カム機構５２のカム溝は、第１のカム部５２Ａの上辺及び下辺
と第２のカム部５２Ｂの下辺とにより形成している。従って、第１のカム部５２Ａは昇降
ピン５４の下面及び上面を規制し、第２のカム部５２Ｂは昇降ピン５４の上面を規制する
。ただし、第２のカム部５２Ｂが下降した状態では、昇降カム機構５２のカム溝の一部は
構成されていない。昇降ピン５４がカム溝内にて所定高さより高い位置となる場合には、
第２のカム部５２Ｂの他端側が上昇することでカム溝が形成される。
なお、本実施例では、第２のカム部５２Ｂを第１のカム部５２Ａに設けた場合で説明し
たが、第２のカム部５２Ｂをベース本体１０に設けてもよい。この場合には第２のカム部
５２Ｂは、サブスライダー５０とともに移動しない。しかしこの場合においても、第２の
カム部５２Ｂは、ベース本体１０に対して昇降可能に構成することで、昇降ピン５４によ
って上昇するとともに、所定高さ以上には上昇しないようにバネ又はストッパーにて規制
する。
【００１３】
メインスライダー４０の一端側にはローディングモータ（図示せず）が配設されている
。そして、このローディングモータの駆動軸とメインスライダー４０の一端側とは歯車機
構（図示せず）を介して連結されている。
このローディングモータの駆動によってメインスライダー４０を長手方向（Ｘ軸方向）
に摺動させることができる。またメインスライダー４０は、カムレバー７０によってサブ
スライダー５０と連結している。
カムレバー７０は回動支点７１を有し、ピン７２でメインスライダー４０に設けたカム
溝４１と係合し、ピン７４でサブスライダー５０に設けたカム溝と係合している。
このカムレバー７０は、メインスライダー４０の移動に連動して、サブスライダー５０
を移動させ、サブスライダー５０の移動によってスライダーカム機構５１と昇降カム機構
５２を動作させてトラバース３０を変位させる機能を有する。
【００１４】
なお、トラバース３０は、さらに一対の固定カム３６Ａ、３６Ｂによってもベース本体
１０に支持されている。一対の固定カム３６Ａ、３６Ｂは、固定カム３４Ａ、３４Ｂとサ
ブスライダー５０との間に配設し、固定カム３４Ａ、３４Ｂとサブスライダー５０との中
間位置に配設することが好ましい。固定カム３６Ａ、３６Ｂは、固定カム３４Ａ、３４Ｂ
と同一の構成からなる所定長さの溝からなる。トラバース３０に設けたカムピン３７Ａ、
３７Ｂは、この固定カム３６Ａ、３６Ｂの溝内を摺動することで、トラバース３０をディ
スクの挿入方向に変位させるとともに、ベース本体１０と近接離間する方向に変位させる
ことができる。
以上説明した、トラバース３０、固定カム３４Ａ、３４Ｂ、３６Ａ、３６Ｂ、メインス
ライダー４０、サブスライダー５０、及びローディングモータは、ベース本体１０に設け
られ、これらの部材と蓋体１３０との間に、ディスク挿入空間を形成する。
【００１５】
次に、ディスクを支持するガイド部材と、ディスクを動作させるレバー部材について説
明する。
ベース本体１０のディスク挿入口１１近傍の一端側には、所定長さの第１のディスクガ
イド（図示せず）が設けられている。この第１のディスクガイドは、ディスク挿入方向か
ら見た断面が、「コ」の字状の溝を有している。この溝によってディスクは支持される。
一方、ベース本体１０のディスク挿入口１１近傍の他端側には、引き込みレバー８０が
設けられ、この引き込みレバー８０の可動側端部に第２のディスクガイド８１を備えてい
る。第２のディスクガイド８１は、円筒状のローラで構成され、引き込みレバー８０の可
動側端部に回動自在に設けられている。また、第２のディスクガイド８１のローラ外周に
は溝が形成され、この溝によってディスクは支持される。
引き込みレバー８０は、可動側端部が固定側端部よりもディスク挿入口１１側で動作す
るように配置され、固定側端部に回動支点８２を有している。また、引き込みレバー８０
の可動側端部と固定側端部との間には所定長さの第３のディスクガイド８４が設けられて
いる。また、引き込みレバー８０はピン８５を備え、このピン８５がメインスライダー４
０のカム溝４２を摺動することで引き込みレバー８０は動作する。すなわち、引き込みレ
バー８０は、メインスライダー４０の移動にともなって、第２のディスクガイド８１がス
ピンドルモータ３１Ａに対して近接離間するように動作する。
【００１６】
また、ベース本体１０には、排出レバー１００が設けられている。この排出レバー１０
０の一端側の可動側端部にはガイド１０１が設けられている。また、排出レバー１００の
他端側には、回動支点１０２が設けられている。なお、排出レバー１００は、ピン１０３
とカム溝４３によってメインスライダー４０の動きと連動して動作する。
また、ベース本体１０の排出レバー１００と対向する側には排出レバー１１０が設けら
れている。この排出レバー１１０の一端側の可動側端部にはガイド１１１が設けられてい
る。また、排出レバー１１０の他端側には、回動支点１１２が設けられている。なお、排
出レバー１１０は、排出レバー１００の動きと同様に動作する。
一方、ベース本体１０のリア側には固定ピン１２０が設けられている。この固定ピン１
２０によって、ディスクのローディング時やチャッキング時のディスクの位置規制を行っ
ている。
【００１７】
図２に示すように、シャーシ外装は、ベース本体１０と蓋体１３０によって構成され、
蓋体１３０の中央部には、開口部１３２が設けられている。この開口部１３２は、ディス
クの中心孔よりも大きな半径の円形開口である。従って、ディスクの中心孔に嵌合するス
ピンドルモータ３１Ａのハブ３１Ｂよりも大きな開口である。
開口部１３２の外周部には、ベース本体１０側に突出させた絞り部１３３が形成されて
いる。
【００１８】
以下に、図１から図２０を用いてトラバース３０の動作メカニズムについて説明する。
図１から図４のカム機構とピンの位置はディスクのローディング完了状態を示している
。
図５はディスク装置のディスクのチャッキング動作スタートから第１の所定時間が経過
した状態を示すベース本体の要部平面図、図６は同状態における要部側断面図、図７は同
状態におけるサブスライダーの平面図、図８は同状態におけるサブスライダーの側面図で
ある。
そして、図９は図５の状態からさらに第２の所定時間が経過した状態を示すベース本体
の要部平面図、図１０は同状態における要部側断面図、図１１は同状態におけるサブスラ
イダーの平面図、図１２は同状態におけるサブスライダーの側面図である。
また、図１３は図９の状態からさらに第３の所定時間が経過し、トラバースの最上昇状
態を示すベース本体の要部平面図、図１４は同状態における要部側断面図、図１５は同状
態におけるサブスライダーの平面図、図１６は同状態におけるサブスライダーの側面図で
ある。
そして、図１７は図１３の状態からさらに第４の所定時間が経過し、ディスクの記録再
生状態を示すベース本体の要部平面図、図１８は同状態における要部側断面図、図１９は
同状態におけるサブスライダーの平面図、図２０は同状態におけるサブスライダーの側面
図である。
【００１９】
まず、ディスクのローディング完了状態では、図１から図４に示すように、トラバース
３０は、最もリア側であって、最もベース本体１０側に近接した位置に配置されている。
すなわちこの状態においては、スライドピン５３は、スライドカム機構５１の一端側（
メインスライダー４０側）端部に位置している。従って、トラバース３０は最もリア側に
近接した位置に配置されている。また、カムピン３５Ａ、３５Ｂは、固定カム３４Ａ、３
４Ｂの溝の他端側端部に位置している。従って、トラバース３０の他端側（ピックアップ
３２側）はベース本体１０に最も近接した位置に配置されている。また、昇降ピン５４は
、昇降カム機構５２の一端側（メインスライダー４０側）端部に位置している。従って、
トラバース３０の一端側（スピンドルモータ３１Ａ側）はベース本体１０に最も近接した
位置に配置されている。また、第２のカム部５２Ｂは、弾性部材５６によってその他端側
を下降方向に付勢され、下降した状態を維持している。
【００２０】
図１に示す状態からメインスライダー４０がディスク挿入口１１の方向に移動し、この
メインスライダー４０の移動に伴ってサブスライダー５０がメインスライダー４０の方向
に移動する。
そして、チャッキング動作を第１の所定時間行った状態では、図５から図８に示すよう
に、トラバース３０は、ディスク挿入口１１の方向に第１のＸ軸距離だけ移動するととも
に、トラバース３０の他端側は、ベース本体１０から第１のＹ軸距離だけ離間した位置に
配置される。
すなわちこの状態においては、スライドピン５３は、スライドカム機構５１を第１のＹ
軸距離だけ移動し、トラバース３０はディスク挿入口１１の方向に第１のＸ軸距離だけ移
動する。従って、カムピン３５Ａ、３５Ｂは、固定カム３４Ａ、３４Ｂの溝の一端側端部
の方向に第１のＸ軸距離移動し、トラバース３０の他端側（ピックアップ３２側）は、ベ
ース本体１０から第１のＺ軸距離だけ離間した位置に配置される。また、昇降ピン５４は
、昇降カム機構５２の一端側（メインスライダー４０側）端部から第１のＹ軸距離だけ移
動するが、この第１のＹ軸距離の範囲にある溝は同一高さなので、トラバース３０の一端
側（スピンドルモータ３１Ａ側）はベース本体１０に最も近接した位置に保持される。ま
た、第２のカム部５２Ｂは、弾性部材５６によってその他端側を下降方向に付勢され、下
降した状態を維持している。
【００２１】
図５に示す状態から、さらにメインスライダー４０がディスク挿入口１１の方向に移動
することで、サブスライダー５０はさらにメインスライダー４０の方向に移動する。
そして、図５に示す状態からさらにチャッキング動作を第２の所定時間行った状態では
、図９から図１２に示すように、トラバース３０の他端側は、ベース本体１０から第２の
Ｚ軸距離（第２のＺ軸距離＞第１のＺ軸距離）だけ離間した位置に配置される。
すなわちこの状態においては、スライドピン５３は、スライドカム機構５１を第２のＹ
軸距離だけ移動するが、この移動範囲ではスライドカム機構５１の溝は、サブスライダー
５０の移動方向（Ｙ軸方向）と平行に設けているので、トラバース３０はディスク挿入口
１１の方向には移動しない。従って、カムピン３５Ａ、３５Ｂも、固定カム３４Ａ、３４
Ｂの溝内を移動しない。また、昇降ピン５４は、昇降カム機構５２の溝を第２のＹ軸距離
だけ移動し、トラバース３０の一端側（スピンドルモータ３１Ａ側）をベース本体１０か
ら第２のＺ軸距離だけ移動させる。このとき、第２のカム部５２Ｂは、昇降ピン５４によ
って上昇方向に押し上げられる。なお、第２のカム部５２Ｂは、弾性部材５６によって昇
降ピン５４を下降方向に付勢している。
【００２２】
図９に示す状態から、さらにメインスライダー４０がディスク挿入口１１の方向に移動
することで、サブスライダー５０はさらにメインスライダー４０の方向に移動する。
そして、図９に示す状態からさらにチャッキング動作を第３の所定時間行った状態では
、図１３から図１６に示すように、トラバース３０の他端側は、ベース本体１０から最も
離間した第３のＺ軸距離に配置される。
すなわちこの状態においては、スライドピン５３は、スライドカム機構５１を第３のＹ
軸距離だけ移動するが、この移動範囲ではスライドカム機構５１の溝は、サブスライダー
５０の移動方向（Ｙ軸方向）と平行に設けているので、トラバース３０はディスク挿入口
１１の方向には移動しない。従って、カムピン３５Ａ、３５Ｂも、固定カム３４Ａ、３４
Ｂの溝内を移動しない。また、昇降ピン５４は、昇降カム機構５２の溝を第３のＹ軸距離
だけ移動し、トラバース３０の一端側（スピンドルモータ３１Ａ側）をベース本体１０か
ら第３のＺ軸距離（最上昇高さ）に移動させる。この状態でハブ３１Ｂのディスクへのチ
ャッキングが完了する。このとき、昇降ピン５４はカム溝内にて最高位置となり、第２の
カム部５２Ｂは、昇降ピン５４によって最上昇位置まで押し上げられる。なお、第２のカ
ム部５２Ｂは、弾性部材５６によって昇降ピン５４を下降方向に付勢している。
【００２３】
図１３に示す状態から、さらにメインスライダー４０がディスク挿入口１１の方向に移
動することで、サブスライダー５０はさらにメインスライダー４０の方向に移動する。
そして、図１７から図２０に示すように、トラバース３０はディスク挿入口１１の方向
に移動するとともに、トラバース３０の他端側は、ベース本体１０に近接する方向に移動
し第１のＺ軸距離の位置に配置される。
すなわちこの状態においては、スライドピン５３は、スライドカム機構５１を第４のＹ
軸距離だけ移動し、トラバース３０はディスク挿入口１１の方向に第２のＸ軸距離だけ移
動する。従って、カムピン３５Ａ、３５Ｂは、固定カム３４Ａ、３４Ｂの溝の一端側端部
に向けて第２のＸ軸距離だけ移動するが、トラバース３０の他端側（ピックアップ３２側
）高さは変わらない。また、昇降ピン５４は、昇降カム機構５２の溝を第４のＹ軸距離だ
け移動し、トラバース３０の一端側（スピンドルモータ３１Ａ側）をベース本体１０の方
向に移動させ第１のＺ軸距離の位置に配置させる。この状態では、第２のカム部５２Ｂは
、昇降ピン５４の下降によって、弾性部材５６の付勢力によって下降方向に移動する。
【００２４】
以上の動作によって、ディスクを蓋体１３０から離間させるとともに、固定ピン１２０
からも離間させることで、ディスクは再生記録状態となる。
また、装着されたディスクを排出する時には、ローディングモータを駆動し、メインス
ライダー４０をその他端側の方向に移動することにより行われ、基本的には上記の動作が
逆に行われる。
【００２５】
次に、本発明の他の実施例によるサブスライダーの構成について説明する。図２１は同
サブスライダーの要部構成を示す側面図、図２２は同実施例によるトラバースの最上昇状
態におけるサブスライダーの要部構成を示す側面図、図２３は同実施例によるディスクの
記録再生状態におけるサブスライダーの要部構成を示す側面図である。ずなわち、図２１
は、図４のカム機構とピンの位置に相当し、図２２は、図１６のカム機構とピンの位置に
相当し、図２３は、図２０のカム機構とピンの位置に相当する。
昇降カム機構５２は、第１のカム部５２Ａと、第１のカム部５２Ａに対して変位する第
２のカム部５２Ｂとにより構成する。第２のカム部５２Ｂの一端側は、第１のカム部５２
Ａに回動支点５５によって回動自在に保持され、第２のカム部５２Ｂの他端側は昇降自在
な構成としている。昇降カム機構５２のカム溝は、第１のカム部５２Ａの上辺及び下辺と
第２のカム部５２Ｂの上辺及び下辺とにより形成している。従って、第１のカム部５２Ａ
及び第２のカム部５２Ｂは、昇降ピン５４の下面及び上面を規制する。すなわち、本実施
例においては、第２のカム部５２Ｂの下辺には、昇降ピン５４の下側を規制する下側規制
カム壁が設けられ、昇降ピン５４がカム溝内にて所定高さ以下の場合には、昇降ピン５４
が、第２のカム部５２Ｂの下側規制カム壁を押さえ、第２のカム部５２Ｂを下降した位置
に保持する。
従って、本実施例によれば、上記実施例のように弾性部材５６を用いることなく、昇降
ピン５４によって第２のカム部５２Ｂを下方向に動作させることができる。
【００２６】
次に、本発明の更に他の実施例によるサブスライダーの構成について説明する。図２４
は同サブスライダーの要部構成を示す側面図、図２５は同実施例によるトラバースの最上
昇状態におけるサブスライダーの要部構成を示す側面図、図２６は同実施例によるディス
クの記録再生状態におけるサブスライダーの要部構成を示す側面図である。ずなわち、図
２４は、図４のカム機構とピンの位置に相当し、図２５は、図１６のカム機構とピンの位
置に相当し、図２６は、図２０のカム機構とピンの位置に相当する。
昇降カム機構５２は、第１のカム部５２Ａと、第１のカム部５２Ａに対して変位する第
２のカム部５２Ｂとにより構成する。第２のカム部５２Ｂの一端側は、第１のカム部５２
Ａに回動支点５５によって回動自在に保持され、第２のカム部５２Ｂの他端側は昇降自在
な構成としている。昇降カム機構５２のカム溝は、第１のカム部５２Ａの上辺及び下辺と
第２のカム部５２Ｂの上辺とにより形成している。従って、第１のカム部５２Ａは昇降ピ
ン５４の下面及び上面を規制し、第２のカム部５２Ｂは昇降ピン５４の上面を規制する。
また、ベース本体には、第２のカム部５２Ｂの上下方向を規制する規制部材６１、６２を
設けている。なお、第２のカム部５２Ｂの上端面は、規制部材６１、６２を受ける受け部
を構成している。そして、図２４や図２５に示すように、昇降ピン５４が第２のカム部５
２Ｂを押し上げていない状態では、規制部材６１、６２が第２のカム部５２Ｂの受け部を
押さえることで第２のカム部５２Ｂを下降した位置に保持する。
従って、本実施例によれば、上記実施例のように弾性部材５６を用いることなく、規制
部材６１、６２によって第２のカム部５２Ｂを下方向に動作させることができる。
【産業上の利用可能性】
【００２７】
本実施例のディスク装置は、表示手段と入力手段と演算処理手段などを備えたパソコン
本体に内蔵され、または後付で装着されるディスク装置に用いられ、特に表示手段と入力
手段と演算処理手段などを一体化したノート型パーソナルコンピュータとして特に有用で
ある。
【図面の簡単な説明】
【００２８】
【図１】本発明の一実施例によるディスク装置のベース本体の要部平面図
【図２】同ディスク装置の要部側断面図
【図３】同ディスク装置のサブスライダーの平面図
【図４】同ディスク装置のサブスライダーの側面図
【図５】本実施例によるディスク装置のディスクのチャッキング動作スタートから第１の所定時間が経過した状態を示すベース本体の要部平面図
【図６】同状態における要部側断面図
【図７】同状態におけるサブスライダーの平面図
【図８】同状態におけるサブスライダーの側面図
【図９】図５の状態からさらに第２の所定時間が経過した状態を示すベース本体の要部平面図
【図１０】同状態における要部側断面図
【図１１】同状態におけるサブスライダーの平面図
【図１２】同状態におけるサブスライダーの側面図
【図１３】図９の状態からさらに第３の所定時間が経過し、トラバースの最上昇状態を示すベース本体の要部平面図
【図１４】同状態における要部側断面図
【図１５】同状態におけるサブスライダーの平面図
【図１６】同状態におけるサブスライダーの側面図
【図１７】図１３の状態からさらに第４の所定時間が経過し、ディスクの記録再生状態を示すベース本体の要部平面図
【図１８】同状態における要部側断面図
【図１９】同状態におけるサブスライダーの平面図
【図２０】同状態におけるサブスライダーの側面図
【図２１】本発明の他の実施例によるサブスライダーの要部構成を示す側面図
【図２２】同実施例によるトラバースの最上昇状態におけるサブスライダーの要部構成を示す側面図
【図２３】同実施例によるディスクの記録再生状態におけるサブスライダーの要部構成を示す側面図
【図２４】本発明の更に他の実施例によるサブスライダーの要部構成を示す側面図
【図２５】同実施例によるトラバースの最上昇状態におけるサブスライダーの要部構成を示す側面図
【図２６】同実施例によるディスクの記録再生状態におけるサブスライダーの要部構成を示す側面図
【符号の説明】
【００２９】
１０    ベース本体
１１    ディスク挿入口
３０    トラバース
３１Ａ    スピンドルモータ
３２    ピックアップ
４０    メインスライダー
５０    サブスライダー
５１    スライダーカム機構
５２    昇降カム機構
５２Ａ  第１のカム部
５２Ｂ  第２のカム部
５５    回動支点
５６    弾性部材
１３０    蓋体
【図１】
2005276320.tif 000003
【図２】
2005276320.tif 000004
【図３】
2005276320.tif 000005
【図４】
2005276320.tif 000006
【図５】
2005276320.tif 000007
【図６】
2005276320.tif 000008
【図７】
2005276320.tif 000009
【図８】
2005276320.tif 000010
【図９】
2005276320.tif 000011
【図１０】
2005276320.tif 000012
【図１１】
2005276320.tif 000013
【図１２】
2005276320.tif 000014
【図１３】
2005276320.tif 000015
【図１４】
2005276320.tif 000016
【図１５】
2005276320.tif 000017
【図１６】
2005276320.tif 000018
【図１７】
2005276320.tif 000019
【図１８】
2005276320.tif 000020
【図１９】
2005276320.tif 000021
【図２０】
2005276320.tif 000022
【図２１】
2005276320.tif 000023
【図２２】
2005276320.tif 000024
【図２３】
2005276320.tif 000025
【図２４】
2005276320.tif 000026
【図２５】
2005276320.tif 000027
【図２６】
2005276320.tif 000028